(57)【要約】上部立ち板（３）が水洗トイレの上部に配置され、あるいは、家庭用ペットによる使用を容易にするために内側立ち板（１６）が水洗トイレに設けられていても良い。このような板は、様々なサイズのペットに合うように寸法付けられて構成されている。【選択図】図１
2004515250.tif 000002
【特許請求の範囲】
【請求項１】
猫が使用するために水洗トイレに適合可能な装置であって、前記水洗トイレに装着できるようになっている踏み台と、
前記踏み台の中央部に設置されるとともに、猫が楽にかがんで排泄物を放出することができるようになっている階段状の立ち板部と、
階段状の前記立ち板部に形成され、前記排泄物を通過させて前記水洗トイレ内へと落とし込むことができるようになっている開口と、
を備えている装置。
【請求項２】
猫が使用するために水洗トイレに適合可能な装置であって、
前記水洗トイレに装着できるようになっている踏み台と、
前記水洗トイレ内の水の高さよりも下側で且つ前記水洗トイレの配水管部の上側に設置されるとともに、猫が楽にかがんで排泄物を放出することができるようになっている階段状の立ち板部と、
階段状の前記立ち板部の中央部に形成され、前記排泄物を通過させて前記水洗トイレ内へと落とし込むことができるようになっている開口と、
を備えている装置。
【請求項３】
階段状の前記立ち板部は、猫が楽にかがむことを容易にする寸法を有している請求項１に記載の装置。
【請求項４】
階段状の前記立ち板部は、前記水洗トイレと一体に形成されている請求項１に記載の装置。
【請求項５】
階段状の前記立ち板部に設けられ且つ排泄物を前記開口を介して前記水洗トイレの排水管内へと流すようになっている給水部および排水部を有している請求項２に記載の装置。
【請求項６】
階段状の前記立ち板部は、前記水洗トイレから独立している請求項３に記載の装置。
【請求項７】
階段状の前記立ち板部は一連の周辺階段を有し、周辺階段は、様々な大きさのペットに適応してペットが前記周辺階段の両側にそれぞれ左右の脚で立って階段状の前記立ち板部上でかがむことができる様々な幅を有している請求項１に記載の装置。
【請求項８】
階段状の前記立ち板部から上方に延び且つ階段状の前記立ち板部を前記水洗トイレから取り外せるようになっているハンドルロッドを有している請求項２に記載の装置。
【請求項９】
階段状の前記立ち板部は、プラスチックでコーティングされた上面を有し、前記プラスチックコーティングは、砂粒子の表面性状を有している請求項７に記載の装置。
【請求項１０】
階段状の前記立ち板部の前部、左部、右部を取り囲む直立フェンシング壁を有している請求項１に記載の装置。
【請求項１１】
革ベルトを用いて前記フェンシング壁に一定の距離で装着され且つ前記水洗トイレを使用するペットをしつけるようになっているトレーニングリングを有している請求項１０に記載の装置。
【請求項１２】
階段状の前記立ち板部は、様々な形状の前記水洗トイレに一体に形成されている請求項２に記載の装置。
【請求項１３】
前記踏み台には、前記水洗トイレを同時に洗浄できるように２つの高さで洗浄水が設けられている請求項１に記載の装置。
【請求項１４】
階段状の前記立ち板部の周囲に設けられた保護用のフェンシング壁を有している請求項２に記載の装置。
【請求項１５】
階段状の前記立ち板部に装着され且つペットの成長に応じて階段状の前記立ち板部の位置を変えられるようになっている水平な牽引ロッドを有している請求項１４に記載の装置。
【発明の詳細な説明】
【０００１】
（発明の分野）
この発明は、家庭のペット用のトイレに係わり、特に、室内でのペットによる使用を容易にするためにアタッチメントを有する家庭用水洗トイレに関する。
【０００２】
（発明の背景）
黄色と白色の迷子の猫が、よく私の家の塀や生垣で隠れていた。私の隣人の誰も、その猫が誰の猫なのか知らなかった。ある日、私は、その猫に幾らかのバーベキュー肉を与えた。そして、その日から、私達は、仲の良い友達になった。ほぼ毎日、その猫は、朝早くから、私の家の中庭の通用口で、私が残飯を与えるのを待っていた。私は、その猫が非常に熱心な猫であることを知っていた。なぜなら、その猫は、しばしば、自分が捕まえた小動物を持ってくるからである。猫は、そのお膳立てに非常に満足するようになり、一日中ゆっくりと周囲を歩き回り幸せそうに自分をきれいにしていた。私は、ペットが欲しいと思ったことなどなかったが、その後、私は、猫が我が家を訪れると、その猫を家の中に入れるようになった。驚いたことに、猫は、ある日の午後我が家に訪れると、二匹の小さな子猫を出産した。その猫は、昼夜を問わず子猫を保護し、自分の用を足す時だけ家から出ていった。したがって、私は、缶詰のキャットフードを猫に与え始めた。ある日、子猫が産まれてから約１ケ月後、私は、猫の絶え間ない泣き声に気付き、猫が家を汚さないように子猫からの排泄物を飲み込もうとしていることを発見した。私は、猫のその行動に感動し、急いで猫に衛生的な小さな箱を与えた。糞を取り除いて匂いをかき消すために、その小さな箱を毎日清掃しなければならないという雑用が課された。そのため、私は、その問題を悟り、家庭用ペットの排泄物を取り除いて家を衛生的で清潔な環境に保つための手段を提供するべく、本発明の方法および装置を開発した。
【０００３】
（好ましい実施例の詳細な説明）
トイレ（便器）は、ペットのプライバシーを守る直立フェンシング壁２によって側方が取り囲まれた上部立設板１を有している。便器の上部は、平坦な踏み台３を有している。踏み台３には、身体の大きさが様々なペットに合わせるべく様々な寸法を有する階段状の立ち板４が設けられている。階段状の立ち板４は、その上に子猫が立てるように形成された小さな内側階段５を有している。排泄物は、立ち板の中央の開口６を通過して、水タンク８を有する従来の便器７に入る。ペットが便器に乗ることができ或いは便器から降りることができるように、傾斜板９が設けられている。立設板の後側にはトレーニングリング１０が設置されており、また、傾斜板９は、ヒンジ１１によって踏み台に装着されている。便器は、洗浄管１３と排水管１４とを有している。排泄物は、洗い流される際に、便器内の貯留水１５中に落下する。便器内には内側立ち板１６が配置されている。内側立ち板１６は、ハンドルロッド１７を用いて持ち上げることができる。水タンクには、回動操作ハンドル１８が設けられている。便器は配水管１９，２０を有している。配水管２０は、便器の側壁を洗浄水で洗浄するため、水を排水口２１へと導くものである。
【０００４】
本発明は、水洗トイレ、または、犬や猫といった家庭のペットの排泄物を屋内で除去するために従来の水洗トイレに組み込むことができる付属品を提供する。
【０００５】
教育促進のため、私は、この発明によって得られる利益の３０％を、貧困家庭の学生のための授業料に捧げたい。
【図面の簡単な説明】
【図１】
猫や犬等の家庭用ペットのための本発明に係る水洗トイレの平面図である。
【図２】
立ち板上でかがんでいる猫を図１のＡ−Ａ線に沿う前側から見た断面図である。
【図３】
トイレの階段状の立ち板を側方から見た斜視図である。
【図４】
内側立ち板の配置を示す他の実施例の平面図である。
【図５】
図４のＢ−Ｂ線に沿う前側から見た断面図である。
【図６】
内側立ち板を側方から見た斜視図である。
【図７】
犬が使用する水洗トイレを側方から見た斜視図である。
【国際公開パンフレット】
2004515250.tif 000003
2004515250.tif 000004
2004515250.tif 000005
2004515250.tif 000006
2004515250.tif 000007
2004515250.tif 000008
2004515250.tif 000009
2004515250.tif 000010
2004515250.tif 000011
2004515250.tif 000012
2004515250.tif 000013
【国際調査報告】
2004515250.tif 000014
2004515250.tif 000015
2004515250.tif 000016